(57)【要約】【課題】濾過対象物として２種類以上の粒子を含む流体の中から特定の種類の粒子を濾過フィルタで捕捉することができる濾過装置を提供する。【解決手段】本発明に係る濾過装置は、濾過対象物（１１）を含む流体（１２）が流れる流路（３１ａ）を有する管状部材（３１）と、濾過対象物（１１）を濾過する金属製多孔膜（３２ａ）を有する濾過フィルタ（３２）とを備える濾過装置（１）であって、金属製多孔膜（３２ａ）は、流路（３２ａ）を拡大するように凹んだ凹部（５）内に配置されるとともに、流体（１２）の流れ方向に沿うように配置されている。【選択図】図２
2019022866.tif 000002
【特許請求の範囲】
【請求項１】
濾過対象物を含む流体が流れる流路を有する管状部材と、
前記濾過対象物を濾過する金属製多孔膜を有する濾過フィルタと、
を備える濾過装置であって、
前記金属製多孔膜は、前記流路を拡大するように凹んだ凹部内に配置されるとともに、前記流体の流れ方向に沿うように配置されている、
濾過装置。
【請求項２】
前記凹部は、前記管状部材の側壁の一部を前記管状部材の管軸から離れる方向に凹ませることにより形成されている、請求項１に記載の濾過装置。
【請求項３】
前記濾過フィルタは、前記金属製多孔膜の外周部を保持する枠体を有し、
前記枠体は、前記管状部材の側壁の一部に取り付けられ、
前記凹部は、前記枠体により形成されている、請求項１に記載の濾過装置。
【請求項４】
前記管状部材は、前記凹部を除いて内径が一様な管状部材である、請求項１〜３のいずれか１つに記載の濾過装置。
【請求項５】
前記濾過対象物には、平均粒子径が異なる２種類以上の粒子が含まれ、
前記凹部の凹み量は、最も平均粒子径が小さい種類の粒子の平均粒子径の１倍以上である、請求項１〜４のいずれか１つに記載の濾過装置。
【請求項６】
前記濾過対象物には、平均粒子径が異なる２種類以上の粒子が含まれ、
前記凹部の凹み量は、最も平均粒子径が小さい種類の粒子の平均粒子径の５倍以上である、請求項１〜４のいずれか１つに記載の濾過装置。
【請求項７】
前記凹部の凹み量は、５０μｍ以上である、請求項１〜４のいずれか１つに記載の濾過装置。
【請求項８】
前記凹部の凹み量は、前記管状部材の内径の０．１２５倍以上２倍以下である、請求項１〜７のいずれか１つに記載の濾過装置。
【発明の詳細な説明】
【技術分野】
【０００１】
本発明は、流体に含まれる濾過対象物を濾過する濾過装置に関する。
【背景技術】
【０００２】
従来、この種の濾過装置として、クロスフロー方式の濾過装置が知られている（例えば、特許文献１：特開２０１３−２１０２３９号公報参照）。クロスフロー方式の濾過装置は、濾過対象物を含む流体を中空糸膜等の濾過フィルタの表面に沿うように流し、当該濾過フィルタを通過することにより濾過対象物が取り除かれた流体（以下、濾液という。）を収集する装置である。
【０００３】
この濾過装置によれば、濾過対象物を含む流体を濾過フィルタの表面に沿うように流すので、濾過フィルタの表面で捕捉された濾過対象物が流体の流れによって捕捉が解かれる。これにより、濾過フィルタの目詰まりを抑えて、濾液の収集をより長時間連続的に行うことを可能にし、濾過効率を向上させることができる。
【先行技術文献】
【特許文献】
【０００４】
【特許文献１】特開２０１３−２１０２３９号公報
【発明の概要】
【発明が解決しようとする課題】
【０００５】
濾過装置で濾過する流体として、平均粒子径又は重量が異なる２種類以上の粒子を含む流体がある。しかしながら、特許文献１の濾過装置では、当該流体の中から特定の種類の粒子を濾過フィルタで捕捉することはできない。
【０００６】
従って、本発明の目的は、前記課題を解決することにあって、濾過対象物として２種類以上の粒子を含む流体の中から特定の種類の粒子を濾過フィルタで捕捉することができる濾過装置を提供することにある。
【課題を解決するための手段】
【０００７】
前記目的を達成するために、本発明の一態様に係る濾過装置は、
濾過対象物を含む流体が流れる流路を有する管状部材と、
前記濾過対象物を濾過する金属製多孔膜を有する濾過フィルタと、
を備える濾過装置であって、
前記金属製多孔膜は、前記流路を拡大するように凹んだ凹部内に配置されるとともに、前記流体の流れ方向に沿うように配置されている、
ことを特徴とする。
【発明の効果】
【０００８】
本発明に係る濾過装置によれば、濾過対象物として２種類以上の粒子を含む流体の中から特定の種類の粒子を濾過フィルタで捕捉することができる。
【図面の簡単な説明】
【０００９】
【図１】本発明の実施形態に係る濾過装置を用いて濾過対象物を濾過する様子を示す概略図である。
【図２】図１の濾過装置の概略断面図である。
【図３】金属製多孔膜の一部の拡大斜視図である。
【図４】図１の濾過装置の変形例を示す概略断面図である。
【発明を実施するための形態】
【００１０】
（本発明の基礎となった知見）
本発明者らは、平均粒子径又は重量が異なる２種類以上の粒子を含む流体を管状部材の流路に流した場合、平均粒子径が小さい又は重量が軽い種類の粒子が管状部材の側壁付近を流れる傾向があることを知見した。また、本発明者らは、管状部材に凹部を設け、当該凹部内に濾過フィルタとして金属製多孔膜を、流体の流れ方向に沿うように配置することで、平均粒子径が小さい又は重量が軽い種類の粒子は、金属製多孔膜で捕捉されることを見出した。更に、本発明者らは、平均粒子径が大きい粒子又は重量が重い種類の粒子は、金属製多孔膜で捕捉されず、流路内を流れ続けることを見出した。これらの点を踏まえて、本発明者らは、以下の発明に至った。
【００１１】
本発明の一態様に係る濾過装置は、濾過対象物を含む流体が流れる流路を有する管状部材と、
前記濾過対象物を濾過する金属製多孔膜を有する濾過フィルタと、
を備える濾過装置であって、
前記金属製多孔膜は、前記流路を拡大するように凹んだ凹部内に配置されるとともに、前記流体の流れ方向に沿うように配置されている、
ことを特徴とする。
【００１２】
この構成によれば、濾過対象物として２種類以上の粒子を含む流体の中から特定の種類の粒子（平均粒子径が小さい又は重量が軽い種類の粒子）を濾過フィルタで捕捉することができる。
【００１３】
なお、前記凹部は、前記管状部材の側壁の一部を前記管状部材の管軸から離れる方向に凹ませることにより形成されてもよい。
【００１４】
また、前記濾過フィルタは、前記金属製多孔膜の外周部を保持する枠体を有し、
前記枠体は、前記管状部材の側壁の一部に取り付けられ、
前記凹部は、前記枠体により形成されてもよい。
【００１５】
また、前記管状部材は、前記凹部を除いて内径が一様な管状部材であってもよい。
【００１６】
なお、前記濾過対象物には、平均粒子径が異なる２種類以上の粒子が含まれ、
前記凹部の凹み量は、最も平均粒子径が小さい種類の粒子の平均粒子径の１倍以上であることが好ましい。
【００１７】
この構成によれば、最も平均粒子径が小さい種類の粒子の全体を凹部内に位置させ、濾過フィルタによって捕捉することができる。また、濾過フィルタによって捕捉した粒子が流体の流れによって捕捉が解かれることを抑えることができる。
【００１８】
また、前記濾過対象物には、平均粒子径が異なる２種類以上の粒子が含まれ、
前記凹部の凹み量は、最も平均粒子径が小さい種類の粒子の平均粒子径の５倍以上であることが好ましい。
【００１９】
この構成によれば、より確実に、最も平均粒子径が小さい種類の粒子を凹部内に位置させ、濾過フィルタによって捕捉することができる。また、濾過フィルタによって捕捉した粒子が流体の流れによって捕捉が解かれることをより一層抑えることができる。
【００２０】
また、前記凹部の凹み量は、５０μｍ以上であることが好ましい。
【００２１】
この構成によれば、より確実に、濾過対象物として２種類以上の粒子を含む流体の中から特定の種類の粒子（平均粒子径が小さい又は重量が軽い種類の粒子）を濾過フィルタで捕捉することができる。
【００２２】
また、前記凹部の凹み量は、前記管状部材の内径の０．１２５倍以上２倍以下であることが好ましい。
【００２３】
凹部の凹み量が管状部材の内径の０．１２５倍以上であることにより、凹部内で渦流が発生して、流体と濾過フィルタの相互作用時間（距離）が大きくなり、濾過効率が良くなる。一方、凹部の凹み量が２倍より大きくなると、管状部材を流れる流体が、金属製多孔膜に到達しにくくなり、渦流も小さくなって濾過効率が悪くなる。
【００２４】
以下、本発明の実施の形態について、図面を参照しながら説明する。
【００２５】
（実施の形態）
図１は、本発明の実施の形態に係る濾過装置を用いて濾過対象物を濾過する様子を示す概略図である。
【００２６】
図１に示すように、本実施の形態に係る濾過装置１は、クロスフロー方式の濾過装置である。濾過装置１は、濾過対象物１１を含む流体１２を流体導入口１ａより導入し、流体排出口１ｂより排出するように構成されている。また、濾過装置１は、流体導入口１ａから流体排出口１ｂへ流れる流体１２の一部を濾過し、当該濾過により濾過対象物１１が取り除かれた流体（以下、濾液という）１３を濾液排出口１ｃより排出するように構成されている。
【００２７】
濾過対象物１１を含む流体１２は、流体タンク２内に入れられている。流体タンク２内の流体１２は、配管２１を通じてポンプ３内に取り込まれ、当該ポンプ３によって配管２２を通じて濾過装置１の流体導入口１ａへ供給される。濾過装置１の内部を通過して流体排出口１ｂより排出された流体１２は、配管２３を通じて流体タンク２内に戻される。このようにして、流体１２は、ポンプ３が駆動する間、流体タンク２、配管２１、ポンプ３、配管２２、濾過装置１、配管２３の順に循環する。
【００２８】
一方、濾過装置１の内部に供給された流体１２の一部は、濾過されて濾液１３として濾液排出口１ｃより排出される。濾液排出口１ｃより排出された濾液１３は、配管２４を通じて濾液タンク４内に入れられる。
【００２９】
なお、図１の他の形態として、ポンプ３を配管２１と配管２２の間ではなく、配管２３の経路内に配置してもよい。あるいは、流体タンク２や濾液タンク４を密閉容器として、閉鎖系の濾過装置を実現してもよい。
【００３０】
次に、濾過装置１の構成について説明する。図２は、濾過装置１の概略断面図である。
【００３１】
図２に示すように、濾過装置１は、濾過対象物１１を含む流体１２が流れる流路３１ａを有する管状部材３１と、濾過対象物１１を濾過する濾過フィルタ３２とを備えている。
【００３２】
管状部材３１は、例えば、円筒状の部材である。管状部材３１には、流路３１ａを拡大するように凹んだ凹部５が形成されている。すなわち、凹部５は、流路３１ａを拡大する部分である。本実施の形態において、凹部５は、管状部材３１の側壁の一部を管軸Ａ１から離れる方向に凹ませることにより形成されている。当該凹部５により管状部材３１の側壁に段差が形成されている。この段差により、凹部５の近傍の流体１２の流れが乱され、管軸Ａ１の延在方向と交差する方向に速度成分を有する流れ（乱流）が生じる。本実施の形態において、管状部材３１は、凹部５の近傍以外は乱流が生じ難いように、凹部５を除いて内径が一様な管状部材で構成されている。
【００３３】
なお、管状部材３１の他の形態として、方形や楕円形など任意の断面形状であってもよい。また、管状部材３１の材料としては、例えば、ステンレス鋼、シリコン樹脂、ＰＶＤＦ（テフロン：登録商標）、塩化ビニル、ガラス、ブタジエン非含有樹脂、などが挙げられる。さらに、これらの材料に濾過対象物が付着しにくい様にコーティング材を塗布してもよい。
【００３４】
凹部５には、配管２４が接続されている。凹部５内には、配管２４へ流れる流体１２を濾過するように濾過フィルタ３２が配置されている。濾過フィルタ３２は、濾過対象物１１を濾過する金属製多孔膜３２ａと、金属製多孔膜３２ａの外周部を保持する枠体３２ｂとを有している。
【００３５】
金属製多孔膜３２ａは、凹部５内に配置されるとともに、流体１２の流れ方向に沿うように配置されている。本実施の形態において、流体１２の流れ方向は、管軸Ａ１の延在方向と平行である。金属製多孔膜３２ａは、管軸Ａ１の延在方向と平行に配置されている。
【００３６】
本実施の形態において、濾過対象物１１は、液体に含まれる生物由来物質である。本明細書において、「生物由来物質」とは、細胞（真核生物）、細菌（真性細菌）、ウィルス等の生物に由来する物質を意味する。細胞（真核生物）としては、例えば、卵、精子、人工多能性幹細胞（ｉＰＳ細胞）、ＥＳ細胞、幹細胞、間葉系幹細胞、単核球細胞、単細胞、細胞塊、浮遊性細胞、接着性細胞、神経細胞、白血球、リンパ球、再生医療用細胞、自己細胞、がん細胞、血中循環がん細胞（ＣＴＣ）、ＨＬ−６０、ＨＥＬＡ、菌類を含む。細菌（真性細菌）としては、例えば、グラム陽性菌、グラム陰性菌、大腸菌、結核菌を含む。ウィルスとしては、例えば、ＤＮＡウィルス、ＲＮＡウィルス、ロタウィルス、（鳥）インフルエンザウィルス、黄熱病ウィルス、デング熱病ウィルス、脳炎ウィルス、出血熱ウィルス、免疫不全ウィルスを含む。
【００３７】
また、本実施の形態において、濾過対象物１１は、平均粒子径が異なる２種類の濾過対象物１１ａ，１１ｂを含んでいる。管状部材３１の流路３１ａ内を流体１２が流れるとき、相対的に、流路３１ａの中央側は流体１２の流速が速く（密度が高く）なり、管状部材３１の側壁近くでは流体１２の流速が遅く（密度が低く）なる。このため、平均粒子径が大きい種類の粒子１１ａは中央側に集まって高密度部分を形成し、平均粒子径が小さい種類の粒子１１ｂは側壁側に集まって低密度部分を形成する。すなわち、流体１２が流路３１ａ内を流れるとき、平均粒子径が大きい種類の粒子１１ａは、流路３１ａの中央側を流れる傾向がある。一方、平均粒子径が小さい種類の粒子１１ｂは、流路３１ａの側壁付近を流れる傾向がある。このため、平均粒子径が大きい種類の粒子１１ａは、金属製多孔膜３２ａで捕捉されず、流路３１ａ内を流れ続ける。一方、平均粒子径が小さい種類の粒子１１ｂは、前述した乱流も寄与して、金属製多孔膜３２ａ側に流れ、金属製多孔膜３２ａで捕捉され易くなる。
【００３８】
また、本実施の形態において、金属製多孔膜３２ａは、生物由来物質を分離する多孔膜である。図３は、金属製多孔膜３２ａの一部の拡大斜視図である。
【００３９】
図３に示すように、金属製多孔膜３２ａは、互いに対向する第１主面３２ｃと第２主面３２ｄとを有している。また、金属製多孔膜３２ａには、第１主面３２ｃと第２主面３２ｄとを貫通する複数の貫通孔３２ｅが設けられている。貫通孔３２ｅは、液体から生物由来物質を分離するものである。貫通孔３２ｅの形状及び寸法は、生物由来物質の形状、大きさに応じて適宜設定されるものである。貫通孔３２ｅは、例えば、等間隔又は周期的に配置される。貫通孔３２ｅの形状は、例えば、金属製多孔膜３２ａの第１主面３２ｃ又は第２主面３２ｄ側から見て正方形である。貫通孔３２ｅのサイズは、例えば、縦０．１μｍ以上５０μｍ以下、横０．１μｍ以上５０μｍ以下である。貫通孔３２ｅ間の間隔は、例えば、貫通孔３２ｅの１倍よりも大きく１０倍以下であり、より好ましくは３倍以下である。また、金属製多孔膜３２ａにおける貫通孔３２ｅの開口率は、例えば、１０％以上である。
【００４０】
金属製多孔膜３２ａの材料としては、例えば、金、銀、銅、ニッケル、ステンレス鋼、パラジウム、チタン、及びこれらの合金が挙げられる。金属製多孔膜３２ａの寸法は、例えば、直径８ｍｍ、厚さ０．０５μｍ以上１００μｍ以下である。金属製多孔膜３２ａの外形は、例えば、円形、楕円形、又は多角形のいずれかである。本実施の形態においては、金属製多孔膜３２ａの外形は、円形とする。
【００４１】
枠体３２ｂは、環状（例えば、円環状）に形成されている。枠体３２ｂの材料としては、例えば、ジュラルミン、アルミニウムなどの金属や、ポリエチレン、ポリスチレン、ポリプロピレン、ポリカーボネート、ポリアセタール、ポリエーテルイミドなどの樹脂が挙げられる。枠体３２ｂの幅は、例えば、０．９ｍｍである。枠体３２ｂの厚さは、例えば、２０μｍである。
【００４２】
本実施の形態に係る濾過装置１によれば、金属製多孔膜３２ａが、流路３１ａを拡大するように凹んだ凹部５内に配置されるとともに、流体１２の流れ方向に沿うように配置されている。この構成によれば、濾過対象物として平均粒子径の異なる２種類以上の粒子を含む流体の中から平均粒子径が小さな種類の粒子を濾過フィルタ３２で捕捉することができる。
【００４３】
なお、凹部５の凹み量は、最も平均粒子径が小さい種類の粒子１１ｂの平均粒子径の１倍以上であることが好ましい。この構成によれば、最も平均粒子径が小さい種類の粒子１１ｂの全体を凹部５内に位置させ、濾過フィルタ３２によって捕捉することができる。また、濾過フィルタ３２によって捕捉した粒子１１ｂが流体１２の流れによって捕捉が解かれることを抑えることができる。
【００４４】
また、凹部５の凹み量は、最も平均粒子径が小さい種類の粒子１１ｂの平均粒子径の５倍以上であることが好ましい。この構成によれば、より確実に、最も平均粒子径が小さい種類の粒子１１ｂを凹部５内に位置させ、濾過フィルタ３２によって捕捉することができる。また、濾過フィルタ３２によって捕捉した粒子１１ｂが流体１２の流れによって捕捉が解かれることをより一層抑えることができる。
【００４５】
なお、本濾過装置１において、濾過対象物１１となる最も平均粒子径が小さい種類の粒子１１ｂの平均粒子径は、例えば、３μｍ〜１０μｍ程度であると想定される。このため、凹部５の凹み量は、１５μｍ〜５０μｍ以上であることが好ましい。この構成によれば、より確実に、濾過対象物１１として２種類以上の粒子１１ａ，１１ｂを含む流体１２の中から特定の種類の粒子（平均粒子径が小さい又は重量が軽い種類の粒子）を濾過フィルタ３２で捕捉することができる。
【００４６】
また、凹部５の凹み量は、管状部材３１の内径の０．１２５倍以上であることが好ましい。この構成によれば、凹部５内で渦流が発生して、流体１２と濾過フィルタ３２の相互作用時間（距離）が大きくなり、濾過効率が良くなる。なお、凹部５の凹み量は、管状部材３１の内径の０．２５倍以上であることがさらに好ましい。この構成によれば、凹部５内で大きな渦流が発生して、流体１２と濾過フィルタ３２の相互作用時間（距離）がさらに大きくなり、濾過効率が一層良くなる。一方、凹部５の凹み量が２倍より大きくなると、管状部材３１を流れる流体１２が、金属製多孔膜３２ａに到達しにくくなり、渦流も小さくなって濾過効率が悪くなる。このため、凹部５の凹み量は、管状部材３１の内径の２倍以下であることが好ましい。
【００４７】
（実施例１）
次に、本発明の実施例に係る濾過装置を用いて流体から濾過対象物を濾過した結果について説明する。
【００４８】
ここでは、流体１２として、細胞ＨＬ６０と赤血球を含むＰＢＳ溶液（リン酸緩衝生理食塩水）を用い、濾過フィルタ３２により当該ＰＢＳ溶液から液体成分と赤血球を濾過するとともに細胞ＨＬ６０を捕捉するようにした。ＰＢＳ溶液は直径約１２μｍの概球形を有する１×１０５個の細胞ＨＬ６０と直径約７μｍの概円盤形を有する１×１０５個の赤血球を含み、ＰＢＳ溶液の総量は５０ｍｌとした。
【００４９】
また、金属製多孔膜３２ａとして、外形が円形、厚みが１．０μｍ、直径が７．８ｍｍ、中心から直径６ｍｍの範囲にメッシュ構造を有するニッケル製のメッシュ膜を用いた。メッシュ構造は、一辺が４．５μｍの正方形の貫通孔を６．５μｍピッチで配置した正方格子配列とした。また、金属製多孔膜３２ａは、流路３１ａ側の主面が流路３１ａから１ｍｍの距離離れて位置するように配置した。また、管状部材３１として、内径２ｍｍのチューブを用いた。
【００５０】
この管状部材３１内の流路３１ａに、毎分２４０ｍｌの流速で前記ＰＢＳ溶液が流れるように、ポンプ３を約３０分間駆動させた。その後、濾過フィルタ３２を取り出して顕微鏡で観察した。その結果、約１×１０４個の赤血球が金属製多孔膜３２ａに捕捉されていることを確認した。尚、濾液１３を顕微鏡で観察した結果、赤血球は確認できたが、細胞ＨＬ６０の存在は確認できなかった。
【００５１】
一方、金属製多孔膜３２ａの流路３１ａ側の主面が管状部材３１の側壁に沿うように濾過フィルタ３２を配置し、前記と同様に流路３１ａ内に前記ＰＢＳ溶液を流したところ、金属製多孔膜３２ａに捕捉された赤血球や細胞ＨＬ６０は確認できなかった。すなわち、顕微鏡では、金属製多孔膜３２ａ上の赤血球と細胞ＨＬ６０を観察することができなかった。尚、濾液１３を顕微鏡で観察した結果、赤血球と細胞ＨＬ６０ともに存在を確認できなかった。
【００５２】
以上により、本発明の実施例に係る濾過装置によれば、濾過対象物として平均粒子径の異なる２種類以上の粒子を含む流体の中から平均粒子径が小さな種類の粒子を濾過フィルタ３２で捕捉することができることが確認された。
【００５３】
なお、本発明は前記実施の形態に限定されるものではなく、その他種々の態様で実施できる。例えば、前記では、凹部５は、管状部材３１の側壁の一部を管軸Ａ１から離れる方向に凹ませることにより形成されるものとしたが、本発明はこれに限定されない。例えば、図４に示すように、管状部材３１に貫通穴を設け、当該貫通穴に枠体３２ｂを嵌合させ、当該枠体３２ｂにより凹部５を形成するようにしてもよい。すなわち、管状部材３１の側壁の一部に枠体３２ｂを取り付け、当該枠体３２ｂの厚みにより凹部５を形成するようにしてもよい。この場合でも、金属製多孔膜３２ａを凹部５に配置するとともに流体１２の流れ方向に沿うように配置することができる。
【００５４】
また、前記では、濾過対象物１１が平均粒子径が異なる２種類以上の粒子を含む例につて説明したが、本発明はこれに限定されない。例えば、平均粒子径が異なる粒子と同様に、重量が異なる粒子も流路３１ａの中央側又は側壁付近を流れる傾向がある。すなわち、重量が重い種類の粒子は、流路３１ａの中央側を流れる傾向がある。一方、重量が軽い種類の粒子は、流路３１ａの側壁付近を流れる傾向がある。本発明に係る濾過装置によれば、前記構成を有することで、濾過対象物１１として重量の異なる２種類以上の粒子を含む流体の中から重量が軽い種類の粒子を濾過フィルタ３２で捕捉することができる。
【００５５】
また、前記では、金属製多孔膜３２ａは、管軸Ａ１の延在方向と平行に配置されるものとしたが、本発明はこれに限定されない。金属製多孔膜３２ａは、流体１２の流れを実質的に妨げない範囲で管軸Ａ１の延在方向に対して傾斜するように配置されてもよい。すなわち、金属製多孔膜３２ａは、管軸Ａ１の延在方向と実質的に平行に配置されていればよい。
【００５６】
また、前記では、流体１２が液体であるとしたが、本発明はこれに限定されない。例えば、流体１２は気体であり、濾過対象物１１は気体に含まれた微粒子であってもよい。微粒子とは、例えば、工業用粉体材料やＰＭ２．５などである。
【００５７】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００５８】
本発明は、濾過対象物として２種類以上の粒子を含む流体の中から特定の種類の粒子を濾過フィルタで捕捉することができるので、特に、液体に含まれる生物由来物質を濾過する濾過装置に有用である。
【符号の説明】
【００５９】
１    濾過装置
１ａ  流体導入口
１ｂ  流体排出口
１ｃ  濾液排出口
２    流体タンク
３    ポンプ
４    濾液タンク
５    凹部
１１    濾過対象物
１２    流体
１３    濾液
２１〜２４  配管
３１    管状部材
３１ａ  流路
３２    濾過フィルタ
３２ａ  金属製多孔膜
３２ｂ  枠体
３２ｃ  第１主面
３２ｄ  第２主面
３２ｅ  貫通孔
【図１】
2019022866.tif 000003
【図２】
2019022866.tif 000004
【図３】
2019022866.tif 000005
【図４】
2019022866.tif 000006